(57)【要約】光学装置は、互いに平行な第１の対の外表面を有する導光体と、少なくとも２セットの切子面と、を含む。前記セットの各々は、互いに平行で、かつ前記第１の対の外表面の間の複数の部分的に反射する切子面を含む。切子面のセットのおのおのにおいて、それぞれの切子面は、前記第１の対の外表面に対して斜角をなし、かつ前記セットの切子面の他のものに対して非平行の角度をなす。前記光学装置は、特に光学的空隙拡張に適している。【選択図】図３
2021510838.tif 000002
【特許請求の範囲】
【請求項１】
光学装置であって、前記光学装置は、
（ａ）導光体であって、
（ｉ）互いにと平行なの第１の対の外表面、および
（ｉｉ）少なくとも２つのセットも切子面を有してなる導光体を含み、前記セットの各々が、
（Ａ）互いに平行な複数の部分的に反射する切子面を含み、
（Ｂ）前記第１の対の外表面の間にあり、
（ｂ）前記セットの切子面の各々において、個々の切子面は、
（ｉ）前記第１の対の外表面に対して斜角であり、および（ｉｉ）前記セットの切子面の他のものに対して非平行である、ことを特徴とする光学装置。
【請求項２】
前記導光体が前記セットの切子面のちょうど２つを含んでいる、請求項１に記載の装置。
【請求項３】
前記導光体が前記セットの切子面のちょうど３つを含んでいる、請求項１に記載の装置。
【請求項４】
前記セットの切子面の少なくとも第1のセットの切子面が、前記第１のセットの切子面のそれぞれの配置領域上の観察方向で見られるように連続した可視範囲を提供し、したがって、前記観察方向の光の少なくとも一部は、前記導光体内の切子面の少なくとも２つのセットの少なくとも１つのセットの切子面を通り抜ける、請求項１に記載の装置。
【請求項５】
前記セットの切子面の各々は、可視範囲の領域に広がり、前記広がりが特定の領域であり、その領域上で切子面の各々が配置され、前記セットの切子面の２つの前記可視範囲が、少なくとも部分的に重なり合っている、請求項１に記載の装置。
【請求項６】
前記導光体が１つの部位の導光体であり、
前記導光体が、
（ａ）前記セットの切子面の第１のセットと、
（ｂ）前記セットの切子面の第２のセットと、を含み、前記第１のセット及び第２のセットが前記導光体の厚さの次元の同じ面において重なり合っており、前記厚さの次元が前記第１の対の外表面間である、請求項１に記載の装置。
【請求項７】
（ａ）前記導光体が前記第１の対の外表面間の厚さの次元を持っており、（ｂ）前記第１のセットの切子面の第１の切子面が前記厚さの次元を横切って伸び、第１の深さから第２の深さまでの第１の深さ帯に広がり、および、（ｃ）前記第２のセットの切子面の第２の切子面は前記厚さの次元を横切って伸び、第３の深さから第４の深さまでの第２の深さ帯に広がる、請求項１に記載の装置。
【請求項８】
前記第１の深さ帯及び前記第２の深さ帯が、重なり合う深さに広がる、請求項７に記載の装置。
【請求項９】
前記第１の深さ帯及び前記第２の深さ帯が深さの同じ範囲に広がる、請求項７に記載の装置。
【請求項１０】
前記第１の深さ帯及び前記第２の深さ帯が重なり合わない、請求項７に記載の装置。
【請求項１１】
切子面の部位は、前記第１の対の外表面に平行か、或いは一致する切子面の境界対によって境界付けられ、前記部位は前記セットの切子面の少なくとも１つを含んでいる、請求項１に記載の装置。
【請求項１２】
前記導光体は単一部位導光体であり、前記単一部位導光体は、
（ａ）切子面の前記部位の第１の部位を含み、前記第１の部位は前記セットの切子面のうちの２つを含む、請求項１１に記載の装置。
【請求項１３】
前記導光体は２つの部位の導光体であり、当該導光体は、
（ａ）第１の境界対の表面を有する切子面の前記部位の第１の部位と、
（ｂ）第２の境界対の表面を有する切子面の前記部位の第２の部位と、を含み、
前記第１の境界対の表面の１つの表面が、前記第２の境界対の表面の１つの表面に隣接し、前記第１の境界対及び第２の境界対の表面が平行である、請求項１１に記載の装置。
【請求項１４】
前記導光体は３つの部位の導光体であり、当該導光体は更に、
（ａ）第３の境界対の表面を有する切子面の前記部位の第３の部位を含み、前記第３の境界対の表面の１つの表面は、前記第１の境界対の表面或いは前記第２の境界対の表面のいずれか１つの表面に隣接し、前記第３の境界対の表面は、前記第１の境界対及び第２の境界対の表面に平行である、請求項１３に記載の装置。
【請求項１５】
前記導光体は、
（ａ）第１の境界対の表面を有する切子面の前記部位の第１の部位、及び
（ｂ）第２の境界対の表面を有する切子面の前記部位の第２の部位を含み、
（ｃ）前記第１の境界対及び第２の境界対の表面が平行であり、および
（ｄ）前記導光体は、少なくとも１つの界面を含み、前記界面のそれぞれは、
（ｉ）２つの部位間に少なくとも部分的に存在し、
（ｉｉ）前記第１の対の外表面に平行であり、（ｅ）前記界面が、（ｉ）部分的に反射する表面、
（ｉｉ）部分的に反射する光学的コーティング、
（ｉｉｉ）前記部位のうちの１つの材料から前記部位の他の材料までの遷移、（ｉｖ）偏光修正コーティング、および
（ｖ）柔軟な中間層、から成る群から選択された少なくとも１つである、ことを特徴とする、請求項１１に記載の装置。
【請求項１６】
前記セットの切子面の第２は前記導光体からの光の外方結合を行なうように構成され、一定の数の切子面を有する前記第２のセットの切子面は、前記第１の対の外表面の１つを経て前記導光体の外方結合する光の観察の名目上の点に向かう視線に重なる、請求項１に記載の装置。
【請求項１７】
さらに、
（ａ）前記導光体へ光を導くように構成され、その結果、前記光が、第１のインプレーン要素で伝播方向へと導光体に沿った前記第１の対の内部反射を経て伝播する、内方結合構成を含み、
（ｂ）前記セットの切子面のおのおのにおいて、それぞれの切子面は、前記第１のインプレーン要素に非平行の第２のインプレーン要素による伝播方向に前記導光体に沿って伝播する前記導光体の内部反射によってガイドされる光の一部をそらすために配向される、請求項１に記載の装置。
【請求項１８】
前記内方結合構成は第２の導光体であり、前記第２の導光体は、
（ａ）互いに平行な第２の対の外表面と、（ｂ）切子面のセットとを含む、請求項１７に記載の装置。
【請求項１９】
前記セットの切子面の少なくとも１つで、部分的に反射する各々の切子面の間の空隙が、  前記セットの切子面の前記１つによって反射される像の視野内で、二重反射の伝播が導光体に沿って生じる距離が、正確に前記空隙の倍数と一致しない、請求項１に記載の装置。
【請求項２０】
前記少なくとも２つのセットの切子面の第１のセットにおける前記部分的に反射する切子面の第１の角度が、前記少なくとも２つのセットの切子面の第２のセットの前記部分的に反射する切子面の第２の角度と異なり、前記角度は、前記第１の対の外表面に対する角度である、請求項１に記載の装置。
【請求項２１】
前記少なくとも２つのセットの切子面の第１のセットにおける前記部分的に反射する切子面の第１の角度が、前記少なくとも２つのセットの切子面の第２のセットの前記部分的に反射する切子面の第２の角度と実質的に同じであり、前記角度が、前記第１の対の外表面に対する角度であり前記第１のセットは前記第２のセットに対して回転する、請求項１に記載の装置。
【請求項２２】
さらに、
（ａ）前記導光体（１６）へ入力照明（３２０２）を供給する光源（３２００）、および（ｂ）前記入力照明から前記導光体によって生成された伝播光（３２０４）を反射する画像変調器（３２１５）を含み、前記反射が前記導光体を横断する反射された像光（３２０６）を生成する、請求項１に記載の装置。
【請求項２３】
光学装置を製造する方法であって、前記光学装置は導光体（１６）を含み、前記導光体は、
（ｉ）第１の対の外表面（２２、２４）間の少なくとも２つのセットの切子面（３２、３６）を有し、
（ｉｉ）前記外表面（２２、２４）は互いに平行であり、
（ｉｉｉ）前記セットの切子面（３２、３６）の各々は互いと平行な複数の部分的に反射する切子面を含み、前記セットの切子面（３２、３６）の各々において、それぞれの切子面は、前記第１の対の外表面（２２、２４）に対して斜角で、前記セットの切子面の他のもの（３２、３６）に非平行であり、前記方法は、
（ａ）部分的に反射する切子面の第１のアレイ（５２）を提供する工程、
（ｂ）部分的に反射する切子面の第２のアレイ（５６）を提供する工程、及び
（ｃ）前記第１のアレイ（５２）及び前記第２のアレイ（５６）を光学的に付け、その結果、前記第１のアレイ（３２）及び前記第２のアレイ（３６）の前記切子面は、前記第１の対の外表面（２２、２４）に対して斜角で、互いに非平行である、工程を含んでなる、光学装置を製造する方法。
【請求項２４】
前記光学的に付けることが、前記第１及び第２のアレイの間に流すことができる接着剤によって前記第１のアレイ及び第２のアレイを一緒に押すことにより実行される、請求項２３に記載の方法。
【請求項２５】
第１のアレイの前記部分的に反射する切子面の第１の角度が、前記第２のアレイの前記部分的に反射する切子面の第２の角度と異なり、前記角度は、前記アレイのそれぞれの外表面に対する角度である、請求項２３に記載の方法。
【請求項２６】
前記第１のアレイの前記部分的に反射する切子面の第１の角度が、前記第２のアレイの前記部分的に反射する切子面の第２の角度と実質的に同じであり、前記角度は前記アレイのそれぞれの外表面に対する角度であり、前記第１のアレイ及び前記第２のアレイを光学的に付ける前に、前記第１のアレイが前記第２のアレイに対して回転する、請求項２３に記載の方法。
【請求項２７】
光学装置を製造する方法であって、
前記光学装置は導光体（１６）を含み、前記導光体（１６）は、
（ｉ）第１の対の外表面（２２、２４）間の少なくとも２つのセットの切子面（３２、３６）を有し、
（ｉｉ）前記外表面（２２、２４）は互いに平行であり、
（ｉｉｉ）前記セットの切子面（３２と３６）の各々は互いに平行な複数の部分的に反射する切子面を含み、
前記セットの切子面（３２、３６）の各々において、それぞれの切子面は、前記第１の対の外表面（２２、２４）に対して斜角で、前記他のセットの切子面（３２、３６）に非平行であり、前記方法は、
（ａ）部分的に反射する表面を有する複数の透明な平坦な窓（５０）を提供する工程と、
（ｂ）第１のスタック（５１）を作成するように、前記窓（５０）を光学的に一緒に付ける工程と、
（ｃ）複数の第１の平坦なアレイ（５２）を作成するために第１のスタック（５１）を薄く切り取る工程であって、前記薄く切り取ることが複数の前記窓（５０）を横切り、および少なくとも第１のスタック（７０）の少なくとも２対の対向する側面に対して斜角をなす、工程と、
（ｄ）複数の前記第１の平坦なアレイ（５２）を光学的に一緒に付けて、工程と、
（ｅ）前記導光体（７１、１６）の少なくとも１つを作成する前記アレイスタック（７０）を薄く切り取り、工程であって、前記薄く切り取ることが複数の前記第１の平坦なアレイ（５２）を横切り、前記アレイスタック（７０）の少なくとも２対の対向する側面に対して斜角をなす、工程と、を含む、光学装置を製造する方法。
【請求項２８】
前記アレイスタックを作成するために、光学的に付けられる前に、前記第１の平坦なアレイが磨かれ、コーティングされる、請求項２７に記載の方法。
【請求項２９】
請求項１記載の光学装置に入力される光としての像を提供することにより、二次元で光学的空隙を拡張する方法。
【発明の詳細な説明】
【技術分野】
【０００１】
本発明は、一般的に光学的空隙拡張部に関する。
【背景技術】
【０００２】
拡張された現実のためのニアアイディスプレイは、小さな空隙と導光体を有するプロジェクターに基づいており、当該プロジェクターは、この小さな空隙を増加し（拡張し）、所望の射出瞳（ｅｙｅ−ｂｏｘ）を照明するためにより大きな空隙を投影する。投影している空隙が広いと、拡張は一次元に存在する。（例えば二次元の（２Ｄ）導光体中で）投影する空隙が小さいと、導光体の拡張は二次元に存在する。
【発明の概要】
【０００３】
本発明の特定の実施形態は、導光光学要素を備えた少なくとも二次元の内部空隙拡張部を提供する。したがって、本発明の実施形態によれば、光学装置が提供され、前記光学装置は、
（ａ）導光体を含み、当該導光体は、（ｉ）互いに平行な第１の対の外部表面、および（ｉｉ）少なくも２つのセットの切子面を有し、当該切子面のセットの各々は（Ａ）互いに平行な複数の部分的に反射する切子面を含み、当該切子面のセットの各々は（Ｂ）前記第１の対の外表面の間にあり、
（ｂ）前記切子面のセットの各々において、それぞれの切子面は、（ｉ）前記第１の対の外表面に対して斜角であり、（ｉｉ）切子面の他のセットに対して非平行である、光学装置である。
【０００４】
本発明の実施形態の更なる特徴によれば、導光体は、切子面の正確に２つのセットを含んでいる。
【０００５】
本発明の実施形態の更なる特徴によれば、導光体は、切子面の正確に３つのセットを含んでいる。
【０００６】
本発明の実施形態の更なる特徴によれば、切子面のセットの少なくとも第１のセットは、切子面の第１のセットのそれぞれの配置領域に亘って見る方向で見られるように連続的な可視範囲を提供する。したがって、見る方向の光の少なくとも一部は、導光体内の切子面の少なくとも２つのセットのうちの少なくとも１つの切子面を通り抜ける。
【０００７】
本発明の実施形態の更なる特徴によれば、切子面のセットの各々は、可視範囲の領域に広がっており、広がりは、切子面のセットの各々が配置される領域にわたり、切子面のセットのうちの２つの可視範囲の領域は、少なくとも部分的に重なり合っている。
【０００８】
本発明の実施形態の更なる特徴によれば、導光体は、一部位の構成の導光体であって、
（ａ）切子面のセットの第１のセット、および
（ｂ）切子面のセットの第２のセット、を含み、前記第１及び第２のセットは、導光体の厚さ寸法の同じ面で重なり合い、厚さの次元は前記第一の対の外表面間である。
【０００９】
本発明の実施形態の更なる特徴によれば、
（ａ）導光体は、前記第１の対の外表面間の厚さの次元を持っており、
（ｂ）切子面のセットの第１の切子面は厚さの次元を超えて伸び、第１の深さから第２の深さまでの第１の深さ帯を広げ、
（ｃ）切子面のセットの第２の切子面は厚さの次元を超えて伸び、第３の深さから第４の深さまで第２の深さ帯に広げる。
【００１０】
本発明の実施形態の更なる特徴によれば、第１の深さ帯と第２の深さ帯は、重なり合う深さに広がる。
【００１１】
本発明の実施形態の更なる特徴によれば、第１の深さ帯と第２の深さ帯は、同じ深さの範囲に広がる。
【００１２】
本発明の実施形態の更なる特徴によれば、第１の深さ帯と第２の深さ帯は重なり合わない。
【００１３】
本発明の実施形態の更なる特徴によれば、切子面の部分は、第１の対の外表面、すなわち切子面のセットの少なくとも１つを含む部分と平行、或いは一致する表面の境界の対によって境界づけされている。
【００１４】
本発明の実施形態の更なる特徴によれば、導光体は、切子面の部位の第一の部位を含む単一部位構成の導光体であって、前記第１の部位は切子面のセットの２つを含む。
【００１５】
本発明の実施形態の更なる特徴によれば、導光体は２部位の構成の導光体であって、
（ａ）表面の第１の境界対を有する切子面の部位の第一部位と、
（ｂ）表面の第２の境界対を有する切子面の部分の第二部位と、を含んでおり、
表面の第１の境界対の１つの表面は、表面の第２の境界対の１つの表面と隣接し、表面の第１及び第２の境界対は平行である。
【００１６】
本発明の実施形態の更なる特徴によれば、導光体は、第３の境界対を有する切子面の部位の第３の部位を更に含む３つの部位構成の導光体であって、前記第３部は表面の第３の境界対を有し、表面の第３境界対の１つの表面は、表面の第１の境界ペア対或いは表面の第２の境界対のいずれかの１つの表面と隣接し、表面の第３境界対は表面の第１及び第２境界対と平行である。
【００１７】
本発明の実施形態の更なる特徴によれば、導光体は、
（ａ）表面の第１の境界対を有する切子面の部位の第一部位と、
（ｂ）表面の第２の境界対を有する切子面の部位の第二部位と、を含んでおり、
（ｃ）表面の第１及び第２の境界対は平行であり、
（ｄ）前記導光体は更に少なくとも１つの界面を含み、当該少なくとも１つの界面は、各々の界面が、（ｉ）２つの部位の間に少なくとも部分的に存在し、（ｉｉ）外表面の前記一対と平行であり、
（ｅ）前記界面が、（ｉ）部分的に反射する表面、（ｉｉ）部分的に反射する光学的コーティング、（ｉｉｉ）前記部位のうちの１つの材料から、前記部位の他の１つの他の材料までの遷移部、
（ｉｖ）修正偏光コーティング、及び（ｖ）柔軟な中間層、からなる群から選択される少なくとも１つである。
【００１８】
本発明の実施形態の更なる特徴によれば、切子面のセットの第２は導光体からの光の外方結合を行なうように構成され、一定の数の切子面を有する第２のセットは、外表面の第１の対のうちの１つを介して導光体の外方結合する光の観察の名目上の点に向かう視線で重なり合う。
【００１９】
本発明の実施形態の更なる特徴によれば、つぎのものが提供される。すなわち、
（ａ）光を導光体内に導くように構成された内方結合構成が提供され、その結果、光は、第１のインプレーン要素により伝播方向で導光体に沿って外表面の第１の対の内部反射を介して伝播してなる、内方結合構成と、
（ｂ）切子面の部位のおのおのにおいて、個々の切子面は配向されて、導光体の内部反射によって導かれた光の一部をそらし、第１のインプレーン要素と非平行の第２のインプレーン要素によって伝播方向で導光体に沿って伝播する。
【００２０】
本発明の実施形態の更なる特徴によれば、内方結合構成は第２の導光体であって、
（ａ）互い平行な外表面の第２の対、および
（ｂ）切子面のセット、を含んでいる。
【００２１】
本発明の実施形態の更なる特徴によれば、切子面のセットの少なくとも１つで、部分的に反射する切子面のおのおのの間の離間が、切子面のセットの１つによって反射される像の視野内で、二重の反射伝播の工程が導光体に沿って生じる距離が、離間の正確な倍数と一致しないように構成される。
【００２２】
本発明の実施形態の更なる特徴によれば、切子面の少なくとも２つのセットの第１のセットの部分的に反射する切子面の第１の角度は、切子面の少なくとも２つのセットの第２のセットの部分的に反射する切子面の第２の角度と異なり、その角度は、外表面の第１の対に対する角度である。
【００２３】
本発明の実施形態の更なる特徴によれば、切子面の少なくとも２つのセットの第１のセットの部分的に反射する切子面の第１の角度は、切子面の少なくとも２つのセットの第２のセットの部分的に反射する切子面の第２の角度と実質的に同一であり、角度は、外表面の第１の対に対する角度であり、第１のセットは第２のセットに対して回転する。
【００２４】
本発明の実施形態の更なる特徴によれば、つぎのものが提供される。すなわち、
（ａ）導光体に入力照明を提供する光源、および
（ｂ）前記入力照明から導光体によって生成された伝播光を反射する像変調器、が提供され、前記反射することが導光体を通過する反射像光を生成する。
【００２５】
さらに、本発明の実施形態の教示にしたがって、光学装置を製造する方法が提供され、
前記光学装置は導光体を含み、当該導光体は、（ｉ）外表面の第１の対の間の切子面の少なくとも２つのセットと、（ｉｉ）互いに平行な外表面と、（ｉｉｉ）互いに平行な複数の部分的に反射する切子面を含む切子面のセットの各々とを有し、切子面のセットの各々において、個々の切子面は、外表面の第１の対に対して斜角で存在し、切子面のセットの他のものに対して非平行であり、前記方法は、
（ａ）部分的に反射する切子面の第１のアレイを提供する工程、
（ｂ）部分的に反射する切子面の第２のアレイを提供する工程、及び
（ｃ）第１のアレイと第２のアレイを光学的に付ける工程であって、その結果、第１のアレイの切子面と第２のアレイの切子面が、外表面の第１の対に対して斜角で存在し、互いに非平行である工程を含む。
【００２６】
本発明の実施形態の更なる特徴によれば、光学的につける工程は、第１及び第２のアレイの間で流れ得る接着剤で第１及び第２のアレイをともに押圧することにより行なわれる。
【００２７】
本発明の実施形態の更なる特徴によれば、第１のアレイの部分的に反射する切子面の第１の角度は、第２のアレイの部分的に反射する切子面の第２の角度と異なり、その角度は、アレイのそれぞれの外表面に対する角度である。
【００２８】
本発明の実施形態の更なる特徴によれば、第１のアレイの部分的に反射する切子面の第１の角度は、第２のアレイの部分的に反射する切子面の第２の角度と実質的に同一であり、その角度は、アレイのそれぞれの外表面に対する角度であり、第１のアレイは、当該アレイを光学的に付ける前に、第２のアレイに対して回転する。
【００２９】
さらに、本発明の実施形態の教示にしたがって、光学的装置を製造する方法が提供され、
前記光学装置は導光体を含み、当該導光体は、（ｉ）外表面の第１の対の間の切子面の少なくとも２つのセットと、（ｉｉ）互いに平行な外表面と、（ｉｉｉ）互いに平行な複数の部分的に反射する切子面を含む切子面のセットの各々と融資、切子面のセットの各々において、個々の切子面は、外表面の第１の対に対して斜角で存在し、切子面のセットの他のものに対して非平行であり、
前記方法は、
（ａ）部分的に反射表面を有する複数の透明な平坦な窓を提供する工程、
（ｂ）第１のスタックを生成する前記窓を光学的に付ける工程、
（ｃ）複数の第１の平坦なアレイを生成する前記第１のスタックを薄く切る工程であって、前記薄く切る工程が複数の窓を横切り、前記第１のスタックの対向側面の少なくとも２つに対して斜角である、薄切り工程、
（ｄ）アレイスタックを生成する複数の第１の平坦なアレイをともに光学的に付ける工程、および
（ｅ）少なくとも１つの導光体を生成するアレイスタックを薄く切る工程であって、前記薄く切る工程が、前記薄く切る工程が複数の平坦なアレイを横切り、前記アレイスタックの対向側面の少なくとも２つに対して斜角で、薄く切る、薄切り工程、
を含んでなる方法。
【００３０】
本発明の実施形態の更なる特徴によれば、第１の水平なアレイは、前記アレイスタックを生成するために光学的に取り付けられる前に研磨され被覆される。
【００３１】
また、本発明の実施形態の教示にしたがって、前述の光学装置に入力される光としての像を提供することにより、二次元で光学的空隙を拡張する方法が提供される。
【図面の簡単な説明】
【００３２】
実施形態は、添付図面に関して、あくまでも一例として、本明細書に記載される。
【図１】図１は、導光体の光線拡張の効果を示すハイレベルの概略のスケッチが示され、当該導光体は、部分的に反射する内部切子面の二つの重なり合うセットを有している。
【図２】図２は、導光体の典型的な構成の概略スケッチが示される。
【図３】図３は、導光体において伝播する光の側面図の概略スケッチが示される。
【図４】図４は、異なる反射比率の振幅を持っている様々なコーティングの反射率に関する反射率体角度のグラフが示される。
【図５】図５は、導光体の幾何学的な光学特性が角度空間で例証される。
【図６】図６は、導光体の切子面の角度空間配向が示される。
【図７】図７は、切子面の第２のセットの幾何学的な光学特性が示される。
【図８】図８は、切子面とコーティングのマージンの代替的実施例の角度空間図が示される。
【図９】図９は、導光体の他の実施形態が示され、第１の部位と第２の部位が導光体の厚さ方向の次元で重なり合って、交差する切子面を持っている単一型の導光体を生成する。
【図１０】図１０は、二部型の導光体を製造する方法が示される。
【図１１】図１１は、単一型の導光体を製造する典型的な方法が示される。
【図１２Ａ】図１２Ａは、側部からの照明である。
【図１２Ｂ】図１２Ｂは上側部からの照明を示し、この配置は、側部周辺視野のオブスキュレーションを減少する。
【図１２Ｃ】図１２Ｃは、（二つの導光体間の）中芯からの照明を示し、大きさと重量を低減するためにプロジェクターのハードウェア（右と左）が組み合わせることができる。
【図１２Ｄ】図１２Ｄは、略完全な辺縁の非オブスキュレーションの視野を可能にする上部の照明を示す。
【図１２Ｅ】図１２Ｅは、目の配向より下の角度での照明を示す。
【図１３】図１３は、上記構成の変形例が示される。
【図１４Ａ】図１４Ａは、図１３の構成を使用する導光体の構成の概略のスケッチが示される。
【図１４Ｂ】図１４Ｂは、図１３の構成を使用する導光体の構成の概略のスケッチが示される。
【図１５】図１５は、導光体内の光の伝播の概略のスケッチが示される。
【図１６Ａ】図１６Ａは、高い角度の入射光線を反射するように設計された切子面コーティングの反射率（反射プロファイル）のグラフである。
【図１６Ｂ】図１６Ｂは、本件のアプローチの例の角度の構成を示す。
【図１７】図１７は、倒立像の光の伝播の概略のスケッチを示す。
【図１８Ａ】図１８Ａは、導光体１７３において光線が伝播するときの反射の方向の概略のスケッチである。
【図１８Ｂ】図１８Ｂは、組み合わされた導光体１７３の正面図の概略のスケッチであり、３つの切子面の部位が組み合わされている。
【図１８Ｃ】図１８Ｃは、３つの切子面の部位の他の構成における導光体１７３で光線が伝播するときの反射の方向の概略のスケッチである。
【図１９Ａ】図１９Ａは、導光体に光を導入する代替的な方向の角度の図が示される。
【図１９Ｂ】図１９Ｂは、図１９Ａの角度の図を使用する導光体の概略図が示される。
【図１９Ｃ】図１９Ｃは、本件の導光体での光線伝播図が示される。
【図２０】図２０は、像の反対側に切子面を持つ他の実施形態の角度の図が示される。
【図２１】図２１は、ハイブリッドシステムが示され、屈折した切子面が回折の回折格子と組み合わされている。
【図２２Ａ】図２２Ａは、部分的に反射するコーティングによって分離された部位が示される。
【図２２Ｂ】図２２Ｂは、代替の、より小さい、光学構造が示される。
【図２２Ｃ】図２２Ｃは、部分的な反射体を持つ代替の実施形態が示される。
【図２３】図２３は、非最適の拡張を備えた導光体内の光の伝播の概略のスケッチが示される。
【図２４Ａ】図２４Ａは、導光体へと入力光線を結合するために使用される結合プリズムを有する２つの類似した断面の一例が示される。
【図２４Ｂ】図２４Ｂは、導光体が特定の角度で研磨され、研磨された角度の頂部にプリズムが加えられた構成を示す。
【図２４Ｃ】図２４Ｃは、導光体の垂直端部にプリズムがついかされた構成を示す。
【図２４Ｄ】図２４Ｄは、ビームスプリッターの偏向に基づく像生成器を持つプリズムの組合せを示す。
【図２５】図２５は、部位間にある安全バインダーが示される。
【図２６Ａ】図２６Ａは、二部位型の導光体を与える２Ｄ導光体の側面図が示される。
【図２６Ｂ】図２６Ｂは、二部型の導光体を与える２Ｄ導光体の正面図が示される。
【図２７Ａ】図２７Ａは、二部位型の導光体を与える１Ｄ導光体の側面図が示される。
【図２７Ｂ】図２６Ｂは、二部位型の導光体を与える１Ｄ導光体の正面図が示される。
【図２８】図２８は、虚像を重ね合わす望まれない像の角度の図が示される。
【図２９Ａ】図２９Ａは、高角度の光が導光体に達するのを防ぐシェードが示される。
【図２９Ｂ】図２９Ｂは、高角度光が導光体に達するのを防ぐ角度感知コーティングが示される。
【図３０】図３０は、部位の代替の組合せが示される。
【図３１】図３１は、本実施形態で使用するために構成された典型的な光学要素（ＬＯＥ）の側面図が示される。
【図３２Ａ】図３２Ａは、典型的な照明システムの側面図の概略のスケッチが示される。
【図３２Ｂ】図３２Ｂは、典型的な照明システムの正面図の概略のスケッチが示される。
【発明を実施するための形態】
【００３３】
＜第１の実施形態−図１乃至３２Ｂ＞
本実施形態によるシステムの原理および動作は、図面および添付の説明を参照することで一層よく理解され得る。本発明は光学的空隙の拡張のためのシステムである。一般に、小さい空隙を有する像プロジェクターは入力光線を投影する。当該入力光は１セットを超える平行な部分的反射面又は切子面、好ましくは最適化されたコーティングを有する導光体によって増大される。代替の実施形態は、切子面および回折要素の組合せを使用する。これは、透明な導光体の外側の空隙拡張のニーズを低減し、システムの大きさと重量を減少する。
【００３４】
光学装置は、互いに平行な第１の対の外表面を有する導光体と、少なくとも２つのセットの切子面を含んでいる。前記セットの各々は、互いに平行な複数の部分的に反射する切子面を含み、外表面の第１の対の間にある。切子面のセットの各々において、個々の切子面は外部表面の第１の１対に対して射角で存在し、切子面の他のセットに対して非平行な角度で」存在する。
【００３５】
図３１を参照すると、本実施形態で使用するために構成された典型的な光学要素（ＬＯＥ）９０３の側面図が示される。第１の反射面９１６は、光源２から放射する入力平行ディスプレイ光線（入力光線）４によって照射される。本明細書の文脈において、光源２は「プロジェクター」とも言う。本件の図における単純性のために、一般に１つの光線だけが描かれる、入って来る光線、すなわち入力光線４は、「光線」あるいは「入射光線」とも言う。一般に、像が光ビームによって本明細書に表わされる場合であれば、いずれにしてもビームは像のサンプビームであることは注目されるべきであり、典型的には僅かに異なる角度での多数のビームによって形成され、各々が像の点或いは画素に対応している。特に像の末端に言及する場合を除いて、例証された光線は典型的には像の中心である。すなわち、光は像に対応し、中心光線は像の中心或は像の中心画素からの中心光線である。
【００３６】
第１の領域９５４は入力ビーム４に近位であり、像の照明は導光体９２０に結合される。反射表面９１６は、光源２からの入力ビームの入射光を少なくとも部分的に反射する。その結果、光が内部反射、典型的には全内反射（ＴＩＲ）によって、導光体９２０の内部に閉じ込められる。導光体９２０は典型的には透明基板であり、「面状基板」、「光透過基板」、および導光路とも言う。導光体９２０は、少なくとも２つの（主たる外部の）典型的には互いに平行な表面、を含んでおり、背面の（主たる）表面９２６と正面の（主たる）表面９２６Ａとして、本図に示されている。主たる表面（９２６、９２６Ａ）に関して「正面」及び「背面」の指定は、参照の便宜のためであることに注意されたい。導光体９２０への内方結合は、種々の表面、例えば、正面、背面、側縁、或いは他の如何なる所望の内方結合の幾何学的部位からであり得る。
【００３７】
入力光線４は、基板の近位端（図の右側）の導光体基板に進入する。光は導光体９２０および１以上の切子面、通常は少なくとも複数の切子面、典型的には数個の切子面を通って、導光体９２０の遠位端（図の左側）に向かって伝播する。導光体９２０は、外部表面の内部反射によって基板中の伝播光の光線を導く。
【００３８】
基板９２０の内周面から随意に反射した後、閉じ込められた波は１セットの選択的に反射する表面（切子面）９２２に達し、基板からの光を観察者の目１０の中で結合する。本件の典型的な図において、閉じ込められた光線は、点９４４で他の２つの部分的に反射する面９２２によって基板９２０から徐々に外方結合される。
【００３９】
内部の、部分的に反射する面、例えば、選択的に反射する面９２２のセットは、本明細書の文脈で、一般に「切子面」と呼ばれる。増大した現実の適用のために、切子面は部分的に反射し、現実世界からの光が、正面側の表面９２６Ａを経て進入し、切子面を含む基板を横断し、背面側の表面９２６を経て基板を出て観察者の目１０に向かうことを可能にする。典型的な光線９４２は反射表面９１６から部分的に反射された入力ビーム４の光を示し、典型的な光線９４１は、反射表面９１６を通って部分的に伝達された入力光ビーム４の光を示す。
【００４０】
内部の部分反射面９２２は、導光体９２０の伸びる方向に対して斜角で（即ち、非平行で、平行でも垂直でもない）一般的に少なくとも部分的に導光体９２０を横断する。部分反射は、光の伝達率或いは偏光の使用を含むが限定されない種々の技術によって実施され得る。
【００４１】
導光体９２０は、随意に外部表面（本件の図の側面図で示されていない）の第２の対を有し、当該外部表面は互いに平行で、外部表面の第１の対に対して平行ではない。いくつかの実施例では、外部表面の第２の対は外部表面の第１の対に対して垂直である。典型的には、切子面の各々は、外部表面の第２の対に対して斜角である。導光体の周辺表面からの反射が望まれない他の場合には、それらの周辺表面は、典型的には、研磨されないままであり、及び／又は、光吸収性の物質（例えば、黒）で被覆されることで反射を最小にしている。
【００４２】
図１を参照すると、導光体３の影響を拡張する光線を示すハイレベルの概略のスケッチが示され、導光体３は、異なる配向で部分的に反射する内部切子面の２つの重なり合うセットを持っており、導光体３内の切子面によって２つの光線の広がり処理を有している。プロジェクター２は入力光線４として導光体３内に像を投影する。切子面の１セット（以下の図に示された、切子面の第１のセット）は、入力ビーム（投影された像４）の一部を連続的に第１のガイドビーム（投影された像）６へ向きを変える。特徴的には、特定の好適な実施例によれば、第１の切子面のこのセットは角度が付けられ、その結果、入力光線４の入射像と、第１のガイドされた光線６の反射像光線の両方が、角度範囲内に存在する。それらは、導光体３の主基板表面（外部表面）における内部反射によって閉じ込められ、したがって、導光体３の光ガイド（「基板」あるいは「導光路」とも言う）によって導かれる。最も好ましくは、同じ導光体に統合されるのは、切子面の第１のセットの角度とは異なる角度である他の切子面の第２のセットである。切子面の第２のセットは、第１のガイドされた光線（投影された像）６の一部を第２のガイドされたビーム（投影された像）６に向きを変える。第２のガイドされたビーム８は、導光体３の外で、典型的には観察者の目１０へと結合される。
【００４３】
図２を参照すると、導光体３の典型的な構成の概略のスケッチが示される。非限定的な実施例の第１のセットでは、導光体３は内部切子面の異なる配向を有する２つの層を含む。上述のとおり、第１の部位１４および第２の部位１２の各々は、ＬＯＥ９０３でありえる。そのため、第１及び第２の部位は、本明細書の文脈において、それぞれ第１及び第２のＬＯＥ、或いは第１及び第２の層、或いは第１及び第２の切子面の部位に言及される。各部位は、切子面のそれぞれのセットを含む。第１の部位１４は、切子面の第１のセット３２を含み、第２の部位１２は、切子面の第２のセット３６を含む。第１及び第２の部位（１４、１２）は、ユーザー（ユーザーの目１０）の見る方向に対して重ね合わす関係で配置される。この例において、最終の導光体１６の重なり合う切子面パターンを生成するために、第２の層１２は第１の層１４の上に重なる。本件の図で表された配向が説明の明瞭さのために単純ラフに示されていることに注意されたい。導光体１６が少なくとも２セットの切子面を持っており、これが少なくとも部分的に、ユーザーの観察方向で重ね合わされて、導光体１６は、「重ね合わせ式導光体」ともいう。
【００４４】
切子面の各セットは、切子面のセットを含む部位の与えられた配置領域上の可視範囲を提供する。切子面の少なくとも第１のセットは、切子面の第１セットのそれぞれの配置領域上の観察方向で見られるように連続的な可視範囲を提供する。切子面セットの配置領域は切子面間での領域（空間）を含んでいる。切子面の好適な構成は、導光体の切子面から導光体の表面までの交線を推定することにより記載され得る。切子面の第１のセットの面と外表面の面との間の交線の第１のセットが与えられ、切子面の第２のセットの面と、同じ面（導光体の外表面）の間の交線の第２のセットが与えられると、線の第１及び第２のセットは非平行である。
【００４５】
これらの層の中の切子面の配向の決定に対する考慮が以下に述べられる。図１では、導光体３がもともとハイレベルで示されており、これに対し図２では、導光体１６は内部構造（第１および第２の部位）の詳細について示されることに注意されたい。２セットの（平行な）切子面を有する導光体１６は、「２軸」を持っているとして記載され得る。これに対し、任意の数（１を超える）のセットの切子面を有する導光体は、「数本の軸」の導光体と記載され得る。この文脈では、各「軸」は、導光体３のビーム拡張の方向、すなわち切子面がアレイ状にされる導光体３の方向に存在する。
【００４６】
図３を参照すると、導光体１６に伝播する光の側面図の概略のスケッチが示される。第１の層１４は、切子面３２の第１のセットを含んでいる（第１部の切子面、或いは第１の切子面とも言う  ）。同様に、第２の層１２は、切子面３６の第２のセットを含んでいる（第２部位の切子面、或いは第２の切子面とも言う）。導光体１６は、第１の外面２２と第２の外面２４（それぞれ、背部表面９２６と正面部表面９２６Ａに似ている）の間の厚さ１６Ｔを有する。典型的には、第１の層１４と第２の層１２は光学的に付けられ、光は反射せずにこれらの層の間を通る。各層の内部への導光は内部反射によって達成され、導光体１６の外面から典型的には全内部反射（ＴＩＲ）の構造によって達成される。本件の図では、プロジェクター２は光学的構成２０によって実施される。プリズム１６Ｐは導光体１６への内方結合構成の一部である。光学的構成２０は、内方結合によって導光体１６を照射し、（入力光線４）無限大まで平行にされる（例えば、Ｌｕｍｕｓ  ＬＴＤの国際公開第  ２０１５／１６２６１１号参照）。光が導光体３の内部を伝播すると５、伝播光５は、第１の外表面２２および導光体１６の第２の外表面２４からの内部反射によって反射される。本件の図の第１の外表面２２および導光体１６用の第２の外表面２４は、それぞれ図３１の正面部表面９２６Ａと導光体用のＬＯＥ９０３の背部表面９２６に似ている。
【００４７】
導光体１６の第１の部位１４は内部切子面を含んでおり、それが伝播光５を横方向に第１のガイドされたビーム６として反射する（本件の図の側面図において識別可能でない方向の変化）。第２の部位１２は、観察者の射出瞳（ｅｙｅ−ｂｏｘ）１０に向かう第２のガイドされたビーム８として伝播光４Ａを反射する切子面を含んでいる。（本明細書の全体において組み込まれた、Ｌｕｍｕｓ  ＬＴＤの国際特許出願ＰＣＴ／ＩＬ２０１８／０５００２５に定義された意味において）すべての部位内の切子面は好適には重ね合わさっており、像照明の一様性を向上させるために、観察者の見ている目１０の方向の光は、切子面の各配列の２以上の切子面を通り抜ける。
【００４８】
光は、典型的には内方結合構成、例えば、光学的構造２０やプリズム１６Ｐによって導光体１６へガイドされる。内方結合構成および／または）像プロジェクターは、光を導光体１６に導くように構成され、その結果、伝播光５は、導光体１６に沿って外表面（２２、２４）（アウトオブプレーン（ｏｕｔ−ｏｆ−ｐｌａｅ）要素は、導光体の主外表面からの各内部反射で反転する）を経て、第１のインプレーン（ｉｎ−ｏｌａｎｅ）要素による伝播方向へと伝播する。切子面３２の少なくとも第１のセットは導光体１６の内部反射によってガイドされる光の一部をそらすために配光され、第１のインプレーン要素に対して非平行の第２のインプレーン構成による伝播方向を備えた導光体１６に沿って伝播する。切子面の配列での部分反射による像のこのリダイレクション（ｒｅｄｉｒｅｃｔｉｏｎ）は、導光体内の一次元で空隙拡大を達成する。外方結合構成は、典型的には、第２のインプレーン要素による少なくとも一部の光で伝播を外方結合するために構成されている。外方結合構成は、典型的には、部分反射切子面３６の第２（あるいは第３）のセットであり、第２のインプレーン方向に更なる空隙拡張を達成する。
【００４９】
（外方結合切子面と共に）第２の部位１２は、好適には、観察者の目１０に近接している。したがって、逆の構成も本発明の範囲内にあり、特定の適用において望ましいかもしれないが、外方結合された光（第２のガイドされた光線８）は妨害されないだろう。
【００５０】
ここで、１．５９５５の屈折率を有し、４０度の対角線の長方形像を外方結合する（伝達する）ガラスを使用する導光体１６の典型的な実施例が記載される。
【００５１】
図４を参照すると、異なる反射率のふり幅を持っている様々なコーティングの反射率対屈折角度のグラフが示される。好ましくは、切子面のコーティングは、最大の効率とゴースト像に結合される最小のエネルギーを得るように設計されるべきである。好ましい実施形態では、像の反射率は垂直面から表面まで０〜５５度の入射角で存在する一方で、（７２度まで伝達する高い反射率コーティングを除いて）コーティングは、垂直面から表面まで５５〜８７度で実用的に伝達する。コーティングのこれらの特性は角度のある切子面設計を決定する。コーティングのこの特性は、全可視スペクトルとほとんど同じである、したがって、単一の導光体はすべての色（一般にＲＧＢ、或いは赤、緑および青と言う）を伝達するだろう。（導光体の遠位端に向かって）導光体への光の入口からより遠い距離での切子面（導光体の近位端）は、好適には、高い反射率をもつコーティングが設けられる。
【００５２】
図５を参照すると、導光体１６の幾何学的な光学的特性は角度空間で例証される。両方の外面（第１の外面２２および第２の外面２４）のＴＩＲ臨界角の制限は、円Ａ３０として示され、それらの円内に向けられた光線は基板から漏れ、それらの円の外側に向けられた光線は、基板内に閉じ込められるだろう。導光体１６に導入された像光、即ち入力ビームは、長方形の角度分布を有する。入力ビーム４は、外面（第１の外面２２および第２の外面２４）間で前後にはね返り、正方形４Ｌおよび４Ｒ（主基板表面で反射された共役像、図１における入力ビームと等価）として示される。
【００５３】
図６を参照すると、導光体１６の切子面の角度空間の配向が示される。像光入力ビーム４は、最初に、導光体１６の第１の部位内の切子面３２の第１のセットに当たる。切子面３２の第１のセットの角度空間の配向は、円Ａ３２によって示された面として示される。これらの第１の部位の切子面３２は、図４に示されるような角度の反射率を有するコーティングで覆われる。コーティングが透明な角度（この例では５５度）が円Ａ３４として示される。したがって、これらの円の間（外側）で示された如何なる像（即ち、５５度を超える角度だけ切子面に対して垂直に傾いた角度をもっている、例えば本件の図の４Ｌ）は、最小の反射率で被覆された切子面を通り抜けるだろう。これらの円内にある像（すなわち、５５度未満の角度だけこれらの切子面に対して垂直に傾いた角度をもっている。例えば、この図の４Ｒ）は部分的に反射されるだろう。その反射は切子面の角度Ａ３２に対して対向するだろう。したがって、（矢印６００によって示されるように）像４Ｒは反射され共役像６Ｌ（第１のガイドされた光線６に相当する）を生成する。像が導光体１６内に伝播すると、光のうちのいくらかは、４Ｒと６Ｌンドの間で前後にはね返るだろう、それによって、最終の像照明の一様性を改善する。
【００５４】
図７を参照すると、切子面３６の第２のセットの幾何学的な光学的特性が示される。光の像６Ｌは導光体１６の外面（２２、２４）から反射し、共役像６Ｒを生成する。面（２２、２４）から反射され、第２の部位１２の切子面（第２部位の切子面３６）に当たる間に像６Ｌおよび６Ｒが伝播し、配向は、本明細書でＡ３６として示される。第２の部位の切子面３６上のコーティングは、また透明な範囲を有し（図６の中のＡ３４として）、透明な範囲のマージンは円Ａ３８として示される。
【００５５】
像６Ｌ、４Ｌおよび４Ｒは透明な範囲内（円３８の間）にあり、したがって、第２の部位１２の第２の切子面３６によって著しく反射されないだろう。しかしながら、像６Ｒは５５度の締切り内に位置し、したがって、第２の切子面３６によって部分的に反射され、基板主面の内部反射から漏れる角度範囲で終了し、（矢印７００によって示されるように）観察者の射出瞳（ｅｙｅ−ｂｏｘ）１０に向かう像８（第２のガイドされた光線８）として導光体１６の外側に送達される。
【００５６】
図８を参照すると、切子面とコーティングマージンの代替の実施例の角度空間の図が示される。像４Ｌおよび４Ｒは第２の部位１２の第２の切子面３６によって反射されない（角度＞５５度を表わすマージンＡ３８の内部）。加えて、像４Ｌおよび６Ｒは、第１の部位１４の第１の切子面３２（マージンＡ３４の内部）によって反射されない。
【００５７】
典型的な場合では、導光体１６に結合された第１の像が像４Ｌであると仮定すると、像は次の順で結合される。
【００５８】
１．像４Ｌ：プロジェクター光学部２０によって導光体１６に結合される。
【００５９】
２．像４Ｒ：導光体１６内の内部反射によって像４Ｌに対する共役として生成される。
【００６０】
３．像６Ｌ：第１の切子面３２による像４Ｒの反射によって生成される。
【００６１】
４．像６Ｒ：導光体１６内の内部反射によって像６Ｌに対する共役として生成される。
【００６２】
５．像８：第２の切子面３６による像６Ｒの反射によって生成される。
【００６３】
同一の順序の像を連結する同じ基本特性を有する異なる角度の構成は、上述されるように、使用することができる。第２の切子面３６から来る第１の切子面３２および反射された像６Ｌに当たる両方の入射像４Ｒが基板の主表面［外面（２２、２４）］によって内部反射される角度の範囲内に存在し、したがって、基板によってガイドされることは注目されるであろう。導光体１６の外面（２２、２４）を経由する内部反射は、ＬＯＥ  ９０３の基板９２０の主表面（９２６、９２６Ａ）を経由する内部反射に似ている。
【００６４】
本明細書で例証された好ましい実施例は各切子面に関して各像の角度を最適化するように設計され、その結果、像が選択的に部分的に反射されるか、或いは切子面のコーティングの角をなした選択的な特性による最小の反射で伝達されるが、そのような最適化が不可欠ではないことは注目されるべきである。いくつかの場合には、ゴーストが比較的低いエネルギーモードか、或いは所望の出力像の視野の外側に含まれる限り、最適化されていない角度および／または最適化されていないコーティングを採用することが受け入れられ得、種々の望まれないモードの生成に帰着する（ゴースト像に対応する）。
【００６５】
図９を参照すると、導光体１６の他の実施形態が示され、第１の部位１４および第２の部位１２といった部位が導光体の厚さの次元において重ね合わされ、交差する切子面を有する単一部位の導光体４０を生成する。言いかえれば、切子面のセット、この場合、切子面３２の第１のセットおよび切子面３６の第２のセットは、重ね合わせており、導光体の同じ面に配置される（構築される）。単一部位の導光体４０は第１の外面２２と第２の外面２４の間の厚さ４０Ｔを有している。そのような導光体の製造方法が以下に述べられる。単一部位の導光体４０中の切子面の角度は、図４および図８に関して２つの部位の導光体１６のための上記切子面に似ている。
【００６６】
図１０を参照すると、２つの部位の導光体１６を製造する方法が示される。また、図２および図３に戻って参照する。窓５０の第１のセットは第１のスタック５１を作るために共に被覆され、接合される（積み重ねられる）。この文脈で、用語「窓」は透明な平坦なプレートを言う。
反射表面５２の第１の配列を生成するために、第１のスタック５１が特定の角度で薄く切り取られる。同様に窓５４の第２のセット（窓５０の第１のセットと異なる別のセット）は、第２のスタック５５を作るために、共に覆われ、接合される（積み重ねられる）。第２のスタック５５は、第２の角度（別の角度、第１のスタック５１を薄く切り取るために使用された角度と異なる）で薄く切られ、反射表面５６の第２のアレイを生成する。２つのアレイ（第１のアレイ５２および第２のアレイ５６）は、適切な相対角度でともに付けられ６０（例えば、互いに対して所望の角度で接合されるか、固着される）。重ね合わすアレイは導光体１６のための所望の形状を作るために整えられる６１。いくつかの実施形態では、任意のカバー６２は、最後の二つの部位の導光体６４の外面として固着される。各工程は、それぞれ任意の切断、研削および１つ以上の表面の磨き上げを含み得る。１つを超えるアレイは窓の実測サイズと導光体６４の所望のサイズに従って、各スタックから作り上げることができる。
【００６７】
実質的な経費削減は、導体光１６の両方の部位に同じアレイ（切子面プレート）を使用することにより達成され得る。例えば、ＢＫ７ガラスは２つのアレイ、即ち２６度で切子面を有する各アレイ（第１のアレイ５２）を製造するために使用される。これは、２つのアレイ（第１のアレイ５２および第２のアレイ５６で、それぞれ異なる角度で切子面を持っている）を製造する上記の説明と異なる。その後、２つのアレイは、互いに１１５度のねじれの角度でともに付けられる。この典型的な構成は、界磁率１６：９で３８度を持つ像の伝達を可能にする。
【００６８】
図１１を参照すると、単一部位の導光体４０を製造するための典型的な方法が示される。２つの部位の導光体１６を製造する図１０を参照した説明に似て、窓５０の第１のセットは第１のスタック５１を作成するためにコーティングされ積み重ねられる。スタックは多数の第１のアレイ５２へ薄く切られる。第１のアレイ５２の薄片はアレイスタック７０を生成するために一緒に磨かれ、コーティングされ、積み重ねられる。このアレイスタック７０は第１のスタック５１に似ているかもしれないが、この場合、アレイスタック７０に特別のコート層が存在し得る。
アレイスタック７０は導光体の同じ厚さ内で平行な２セットの切子面を有する薄片にされたアレイ７１を生成するために薄く切られる。随意に、外部窓６２は完成した単一部位の導光体７２（図９の単一部位の導光体４０）を生成するために付け加えることができる。各々の薄切りの角度と、各々の積重ねの角度は、同じかもしれないし、互いに異なっているかもしれないが、最終的な導光体１６の要求によって決定される。
【００６９】
図１２Ａから図１２Ｅを参照すると、導光体１６の実施例を照らすためにプロジェクター２を使用する様々な典型的な照明構成が示される。図１２Ａでは、照明は側部からである。矢印８００Ａ１および８００Ａ２によって示された照明伝播は、ほとんどの拡張を下方へ示す一方で、拡張のうちのいくつかは６Ｌから４Ｒまでのクロスリバース結合（ｃｒｏｓｓ  ｒｅｖｅｒｓｅ  ｃｏｕｐｌｉｎｇ）によって上方へ引き起こされている（図６に戻って参照）。
【００７０】
図１２Ｂは上部側面からの照明を示す。この構成は、わきの周辺視野の不明瞭化を低減する。
【００７１】
図１２Ｃは、（２つの導光体の間で）中心からの照明を示し、プロジェクターのハードウェア（右及び左）は大きさと重さを縮小するために組み合わせることができる。
【００７２】
図１２Ｄは、ほとんど完全な周辺非不明瞭幻影を可能にする上部の照明を示す。
【００７３】
図１２Ｅは目の配向のより下の角度での照明を示す。この方法で、画像プロジェクターは観察者の周辺視野の外側で便利に位置決めされる。
【００７４】
図１３を参照すると、上記構成への変形例が示される。変形は、切子面と像の異なる角度を含んでいる。図８の変形として本件の図を比較されたい。本件の図では、切子面３２の第１のセットの角度Ａ３２は、角度Ａ３２が像６Ｒの角度の対向面上にあり、それによって、より大きな像が伝達されることを可能にする。円Ａ３９は、２つの外面の内部反射角度について記載し、これらの円内に突き出た像は導光体から連結されるだろう。例えば、像８は円の外側で映し出し、共役像として導光体内に反射され、像の共役は導光体の外面から反射された像である。導光体に沿った外面からの多重反射は２つの像を生成し、それらは、互いに共役である。
【００７５】
図１４Ａおよび図１４Ｂを参照すると、図１３の構成を使用する導光体の構成の概略のスケッチが示される。図１４Ａでは、プロジェクター２は導光体１６に光の像を導入する。導入された光の幅はプロジェクターの空隙によって決定される。２つの矢印は、視野における特定の点のための投影されたビーム１００の幅（図１３の４Ｌおよび／または４Ｒ）の幅を示す。好適には、この記載は、投射像の中心視野に言及する。切子面１０２（図１３に配向Ａ３２として表わされた）は、垂直方向１０４および１０６に光を反射する。垂直の反射１０４および垂直の反射１０６は同じ方向（図１３の６Ｒおよび／または６Ｌ）を有するが、ビーム１００に沿った異なる位置を有する。垂直の反射１０４のビームが切子面１０２の３つによって反射される一方で、垂直の反射１０６のビームが切子面１０２の２つだけによって反射されていることは明らかである。従って、反射像は一様な強度分布を持たないだろう。
【００７６】
図１４Ｂにおいて、切子面１０９は反射された方向（反射された方向１０８及び反射された方向１１０）に沿うように配置される。導入されたビーム１００から一定の数の反射（この場合２つ）が存在するだろう。反射のために構成される切子面１０９の切子面の数は、１つ、２つの又はそれ以上切子面でありえる。単純な三角法を用いて反射光線に寄与する切子面に与えられた達成する幾何学的な基準は、切子面間隔、投影された光線に対する切子面の角度と、空隙の幅によって定義される。
【００７７】
第２の部位１２の切子面３６の第２のセット（図３および図１３の角度Ａ３６に戻って参照）は、好適には画像一様性を改善するために重ね合わす。
【００７８】
図１５を参照すると、導光体１６内に光の伝播の概略のスケッチが示される。組み合わされた導光体の必要な大きさは、観察者の目に向かう導光体内および自由空間内の光の伝播方向によって決定される。本件の図では、ガイドされた伝播は破線として、自由空間の伝播は実線として描かれる。２つの伝播は同じ平インプレーンにない、しかし、明瞭さのために同じ平面で本件の図で概略的に示される。屈折による角度変更も明瞭さのために描かれない。
【００７９】
プロジェクター２は、視野（ｆｉｅｌｄ）の幅（光線の異なる角度）を有する像を導入する。このフィールドの幅のエッジは、光線１１５および１１６（図１３の４Ｒの大きさ）によって表わされる。光線１１５および１１６は、第１の切子面３２（図１３の中の角度Ａ３２）によって点１１８で異なる方向（本件の図の下、図１３の６Ｌ）に光線１１７Ａおよび１１７Ｂへと反射される。
【００８０】
２つの光線１１７Ａおよび１１７Ｂは第２の切子面３６（図１３の角度Ａ３６）によって点１２０で反射される前に新しい方向に異なる長さを観察者の目１０への方向１２２（１１６によって始まる）及び１２４（１１５によって始まる）に伝播する。
【００８１】
導光体１６の高さ１２６が、１１６による１１５の拡張及び１２４による１２２の拡張より小さくなりえないことは明白である。
【００８２】
本件の構成で、外方結合のための第２の切子面３６（図１３の角度Ａ３６）は点１２０の上部においてのみ始まるだろう（本件の図のページで引かれた）。第２の切子面３６は点１２０の上部には必要ではない、なぜなら観察者（観察者の目１０）が投影された全体の視野をみないからである。
【００８３】
図１６Ａ、図１６Ｂおよび図１７を参照すると、上記の実施例と比べて、導光体の高さの更なる減少を可能にするアプローチが示される。
【００８４】
図１６Ａは、切子面コーティングの反射率（反射プロファイル）のグラフであり、コーティングは（図４に示される反射率と比べて）高角度の入射光線を反射するように設計されている。この反射プロファイルは、伝播光が導光体の外で連結されると、光線の伝播角度を逆にするために使用される。
【００８５】
図１６Ｂは、本件のアプローチの例の角度のある構成を示す。像は１３０Ｌとして導入され、外面によって１３０Ｒに結合され１６００、ついで（以下に記載された切子面Ａ１３２のセットの）図１６のコーティングを持つ切子面の角度Ａ１３２は、１３４Ｒに像を結合する１６０２。その後、外面は像１３４Ｌとして伝播光を反射する１６０４。この像は（以下に記載される切子面１３６のセットの）切子面の角度Ａ１３６上の同様のコーティングによって導光体の外で倒置された像１３８として観察者に反射される１６０６。像１３０Ｌおよび１３０Ｒの下部が、倒置された像１３８の上部になること、すなわち、像は逆さまであることは明らかである。
【００８６】
図１７は、倒置された像１３８の光伝播の概略のスケッチを示す。プロジェクター２は、光線１４０および１４２（角度１３０Ｌおよび／または１３０Ｒ）によって制限された視野を持つ像を導入する。点１４４での反射は、それぞれの光線１４６および１４８（像１３４Ｌおよび／または１３４Ｒ）上への切子面１３２のセットによる。反射点１５０は、それぞれの光線１５２および１５４上への切子面１３６のセットによる反射を表わす。光線１５２および１５４の垂直方向が光線１４０および１４２の垂直方向と反対であることは明らかかである。従って、図１５の高さ１２６と比較して、導光体の垂直方向高さ１５６の合計はより小さい。
【００８７】
図１８Ａ、図１８Ｂおよび図１８Ｃを参照すると、３セットの切子面が導光体１６を生成するために組み合わせられる他の実施形態が示される。図１８Ａは光線が導光体１７３に伝播するときの、反射の方向の概略のスケッチである。図１８Ｂは組み合わされた導光体１７３の正面図の概略のスケッチであり、３つの部位の切子面が組み合わされている。１セットの切子面１７４はあらかじめ定められた配向を有し、それは切子面１７６とは異なり、外方結合される切子面１７８とも異なっている。プロジェクター２は導光体１７３に光線１８０を導入する。点１８２において、切子面１７４のセットは、光線１８０を部分的に方向１８４へ反射する。すべての点がプロセスを表わし（対応する切子面のセットを経由する）、それらが、導光体を横切って分布されることに注意されたい。いくつかの点１８６で、伝播光線１８４は、切子面１７４のセットの１つによって、もとの光線１８０の方向へと反射される。点１９１で、光線は、点１８７で、観察者の目１０に向かう光線１９３として、切子面１７８のセットによって外方結合される。拡張の別の経路は切子面１７６によって生成される。プロジェクター２からの光線は、方向１８８への切子面１７６のセットによって点１８７で反射される。いくつかの点１９０では、光線１８８は方向１８０に反射されて、戻り、点１９２で観察者の目１０への光線１９５として切子面１７８のセットによって外方結合される。
【００８８】
図１８Ｃは、光線が３つの切子面の部位の他の構成の導光体１７３中で伝播するときの反射の方向の概略のスケッチである。本件の図は、空隙拡張を生成するために単一の導光体に３つの切子面の部位を組み合わせるための別の構成である。
【００８９】
図１９Ａを参照すると、導光体に光を導入する代替の方向の角度のある図が示される。一般に、空隙拡張を達成するために結合された伝播像のいずれかで入力像光線を導入することは可能である。例えば、図８の角度のある図は、（像が共役像として１９０２を反射する）６Ｌあるいは６Ｒで像照明を導入する１９００、ために本件の図で修正することができる。光はさらに４Ｌへと前後に反射し１９０８、これは４Ｒへの共役１９０６である。本件の図に記載されているように、もとの方向に戻る１９０８前に、これらの像は、異なる方向に伝播し（これによって導光体中の光線分布を拡張する）、最終的に８へと外方結合する１９０４。
【００９０】
図１９Ｂを参照すると、図１９Ａの角度のある図を用いて導光体の概略図が示される。画像プロジェクター２は対角線状の切子面２０２（本件の図で対角線状に引かれ、切子面３２の第１セットに似た機能をする）の組合せへと像を入力し、切子面２０３（本件の図で垂直に引かれ、切子面３６の第２のセットに似た機能をする）を外方結合する。
【００９１】
図１９Ｃを参照すると、本件の導光体中の光線伝播ダイヤグラムが示される。本件の図で、破線１９２０は画像プロジェクター２から導入された光線（６Ｒおよび６Ｌと等価）を表わす。一点鎖線１９２２は、空隙（４Ｒおよび４Ｌと等価）を拡張するために側部に伝播する光線を表わす。実線の矢印１９２４は外方結合された光線（８と等価）を表わす。本件の構成を用いて、像６Ｒ或いは６Ｌとして導光体への像の導入は、像４Ｒおよび４Ｌに対して急峻な角度にある（内部反射面Ａ３９に対するこれらの像の角度として明らかな）ことに注意されたい。したがって、より小さなプロジェクターの空隙は導光体の厚さの次元を満たすのを達成するのに十分である。
【００９２】
図２０を参照すると、像の反対側に切子面を備えた他の実施形態の角度のある図が示される。本件の流図で、切子面３６の第２のセットは、像６Ｌの反対側に存在する（すなわち、６Ｌおよび６Ｒの両方は、切子面３６の第２のセットに対して同じ側に存在する）。二重線（１９３０Ａ、１９３０Ｂ）は導光体中に像を内方結合させるための代替案である。像は、６Ｌ、６Ｒ、４Ｌあるいは４Ｒとして内方結合される。先の実施形態に似て、像４Ｒおよび４Ｌは対１９３６の像であり、６Ｌに前後に結合し１９３８、６Ｌは６Ｒと対になる１９３２。像６Ｒは、観察者に向かう像８として外方に反射される１９３４。
【００９３】
代替の実施形態では、様々な構成は切子面の反射に使用することができ、つぎのものを含む。像と像は切子面の異なる側で対になっている（図１３）。
【００９４】
像と像は切子面の同じ側で対になっている（図１９Ｄ）。
【００９５】
代替の実施形態では、様々なコーティングが使用され得るのであり、次のものを含む。
【００９６】
切子面の角度の角度的に近くで像を反射する（図１６）。
【００９７】
切子面の角度からより遠くで像を反射する（図４）。
【００９８】
代替の実施形態で、導光体への様々な像の導入が使用され得、次のものを含む。
【００９９】
直接出力結合される方向（図１９Ｃの６Ｒ、６Ｌ）。
【０１００】
出力結合前に変更される方向（図１９Ｄの４Ｌ、４Ｒ）。
【０１０１】
図２１を参照すると、ハイブリッドシステムが示され、図１および図２を参照して記載されたのとほとんど同じ方法で屈折力のある切子面が回折格子と組み合わされ空隙拡張の機能性を達成する。
【０１０２】
回折格子の適用は、反対の光学的パワーを有する少なくとも２つの格子の使用を必要とし、その結果、色分散が取り消される。本件の図の実施形態では、回折のパターン２１２が導光体への入力光を結合するために使用される一方、回折のパターン２１０は導光体へ光を結合するために使用される。横方向の空隙拡張は対角線の切子面２１４を重ね合わせることにより達成され、当該切子面２１４は、色収差を導入せずに、前後に伝播する光を横から連結する。ここで、再び、重なる対角線の切子面２１４のセットは（主基板表面で内部反射される）第１の導波モードを（主基板表面で内部反射される）第２の導波モードにリダイレクトするために配置される。
【０１０３】
図２２Ａ−Ｃを参照すると、伝播中に光線を混合するための様々な実施形態が示される。導光体１６内で伝播する光線の混合は、様々な実施例によって達成することができる。例えば、第１の部位１４中の切子面３２の第１のセットと第２の部位１２中の切子面３６の第２のセットとの間に部分反射を導入することによって達成される。
【０１０４】
図２２Ａを参照すると、部分的に反射するコーティングによって分離された部位が示される。
第１の部位１４と第２の部位１２は、部分反射コーティングによって界面２５０で分離される。
入力光学構成２０は、入力ビーム４を導光体１６に供給する。界面２５０、したがって部分反射コーティングは、外面（第１の外面２２および第２の外面２４）と平行である。この実施例は、伝播光線５の多数の分割と反射にも拘らず、伝播光線５（黒い矢印として示される）におけるすべての光線をもとの方向に維持するだろう。本件の図では、明瞭さのために、１つの光線のみの分割が表されている。当業者は、本件の記載からさらに出力像の一様性を改善しつつ多数の分割が生じることを認識するだろう。
【０１０５】
代替的に、第１の部位１４および第２の部位１２は異なる材質（例えば、ガラスとプラスチック、或いは異なる種類のガラス）で作ることができ、それによって界面２５０において、フレネル反射を引き起こす。界面２５０は、代替的に及び／又は追加的に分極回転（界面での誘電性の変化はこの現象を引き起こすだろう）を生成することができ、さらに出力画像の一様性を改善する。
【０１０６】
図２２Ｂを参照すると、代替の、より小さい光学構成２０Ｂが示される。システムコストは画像プロジェクタ（図２２Ａの光学構成２０）の大きさの減少により下げることができる。しかしながら、画像一様性の照明は、画像プロジェクターが導光体１６の入口のすべてを照らすことを必要とする。本件の図では、光学構成２０と比較して、反射面２５０によって引き起こされる増大する結合は、より小さい光学構成２０Ｂのためのより小さい画像プロジェクター２５２を可能にする。
【０１０７】
図２２Ｃを参照すると、部分反射器を備えた代替の実施形態が示される。外面（第１の外面２２と第２の外面２４）と界面２５０の面の平行性の維持は、技術的に問題になりえる。本件の図において、小さい平行反射器２５４が使用される。小さい平行反射器２５４は、第１の部位１４と第２の部位１２の間の界面の一部分だけで界面２５０として実施される。このより小さい反射器２５４は、入力結合光線（入力ビーム４）の分割を生成する。したがって、導光体１６はすべて一様に照らされる。好ましくは、小さい反射器２５４（界面２５０）の反射率は、導光体に沿って（近位端から遠位端まで）徐々に減少し、これによって出力増の一様性を改善する。上部の部位（第１の部位１４）の反射率が徐々に低減することは、切子面の増大する反射率（プロジェクターからより遠く離れた切子面は、一定のイメージパワー（ｉｍａｇｅ  ｐｏｗｅｒ）を維持するために、より高い反射率を持っている）を補償するために使用され得る。それによって導光体を横切って一定の透明度の外観を生成する。
【０１０８】
図２３を参照すると、最適でない拡張をもつ導光体内に光の伝播の概略のスケッチが示される。横断した空隙拡張は、最適でない光線（「ゴースト」とも言う）を生成し、これらのゴーストから後方に結合することにより実行され得る。しかしながら、このプロセスは、上述した最適な光線伝播技術と比較して、それほど効率的でなく、画像劣化を引き起こい得る。このプロセスは、（図２のような）交差した切子面を使用するが、（図８のような）コーティングの最適化なしに生成される。従って、４Ｌおよび４Ｒも切子面３６の第２のセットによって反射され、それにより、望まれない像を生成する。しかしながら、切子面の角度の適切な選択（図８のような角度空間での反復設計）で、これらのゴーストは観察者に興味のある視野の外に存在するであろう。
【０１０９】
本件の図は、他の横断方向で像を拡張するために、これらの「ゴースト」が如何にして使用されるかを示す。プロジェクター２は方向２６０に光線を導入する。第１の部位１４の切子面３２の第１のセットによる反射の後に、伝播光は方向２６２に反らされる。第２の部位１２の切子面３６の第２のセットによる反射の後に、伝播光は方向２６４に導光体から反らされる。先の拡張は１つの横断方向にあった。方向２６０の入力光線も、第２の部位１２の切子面によって方向２６６へ反射され得、これはガイドされるが、方向２６４とは反対方向である。第２の部位１２の切子面３６の第２のセットによる二次的相互作用は、方向２６６からの伝播光線を、もとの方向２６０に反射するが、その後シフトされる。方向２６０の上記記載に似て、伝播光線２６０は、切子面３２の第１のセットによって方向２６２へ、そして切子面３６の第２のセットによって導光体から方向２６４へ反射される。
【０１１０】
図２４Ａを参照すると、導光体１６に入力ビーム４を結合するために使用される結合プリズム２７０を有する２つの類似した断面の例が示される。単一の主光線２４００（視野の中心かつ空隙の中心）が、光線が当該部位の切子面によって分割されているように示される。導光体へのこの結合は種々の方法で実行され得る。
【０１１１】
図２４Ｂおよび図２４Ｃを参照すると、結合構成の断面の概略のスケッチが示される。断面は、図２４Ａの中で示される主光線２４００の平面に沿って存在する。
【０１１２】
図２４Ｂは導光体１６が特定の角度で磨かれ、プリズム２４１０が磨き上げられた角度の頂部に加えられた構成を示す。この構成は、導光体１６の底部からの滑らかな反射（図で示されたように）を可能にする。
【０１１３】
図２４Ｃは、導光体１６の垂直端部へのプリズム２４２０の追加を持つ構成を示す。この構成は、（導光体１６の矩形形状から伸びる）より長い結合部を可能にする。この構成も異なる屈折率をプリズム２４２０および導光体１６に使用することを可能にする。
【０１１４】
図２４Ｄは、偏光ビームスプリッターに基づくイメージジェネレータ（ｉｍａｇｅ  ｇｅｎｅｒａｔｏｒ）を備えたプリズムの組合せを示す。この組み合わせは容積と空間を節約する。
【０１１５】
２つの部位内の切子面の様々な配向は、導光体１６内の光線の偏光変化量を引き起こすだろう。したがって、非偏光の導入は好適であり得る。非偏光は、固有的に極性化されていないプロジェクター（例えば、ＴＩ  ＤＬＰ、テキサス・インスツルメンツ・ディジタル・ライト・プロセッシングに基づく）から生じるか、あるいは極性化されたプロジェクター（水晶、石英窓）の正面に減極剤を置いた後に生じることができる。
【０１１６】
図２５を参照すると、部位間で安全バインダーが示される。導光体１６（ガラス製或いはプラスチック製の導光体）の破損の場合には、故障したフラグメントが一緒に付けられ、観察者への傷を防ぐために構造の保全性を維持するべきである。導光体のこの保全性の維持は様々な技術、例えば中間層２８０として本件の図で示される２つの部位間（第１の部位１４と第２の部位１２の間）の適切な接着剤かプラスチックフォイルを導入するなどによって達成することができる。従って、部位の１つ以上への構造的損害の場合に、生じるフラグメントは、導光体１６に付けられたままで、分散しない。それによってユーザーに傷の可能性を減少させる。中間層２８０の光学的特性は、界面２５０に関して上述した特性を含むが、これらに限定されず、変化し得る。中間層２８０は部位のインデックスに一致したインデックスであり得るか、あるいは、中間層２８０のインデックスは部位のインデックスと異なり得、図２２に関して記述されるような反射を可能にする。
【０１１７】
図２６Ａおよび図２６Ｂを参照すると、２つの部位の導光体１６を生み出す２Ｄ導光体のそれぞれ側面図および正面図が示される。横方向の空隙拡張は、他の１Ｄ導光体の頂部の１Ｄ導光体によって、１Ｄ導光体の頂部の２Ｄ導光体、あるいは上述された（２−３軸）１Ｄ導光体を重ね合わせることによって実行することができる。これらの技術を組み合わせることは、一様な像強度が生成された導光体と、最小の大きさを有する画像プロジェクターを得ることができる。
【０１１８】
図２６Ａは、その後空隙を拡張する２Ｄ導光体３１０の側面図を示し、これに導光体３２０（重なり合う導光路１６のバージョン）が続く。本件の図で示されるように、導光体３２０は２軸の導光体であり、それは空隙を垂直方向に拡張する。図２６Ｂで示されるように、その後空隙を拡張する。
【０１１９】
２Ｄ導光体による横方向の空隙拡張は２０１７年９月１２日付でＬｕｍｕｓ  Ｌｔｄ．によって出願された国際出願Ｎｏ．  ＰＣＴ／ＩＬ２０１７／０５１０２８、及びＬｕｍｕｓ  Ｌｔｄ．の国際出願Ｎｏ．  ＰＣＴ／ＩＬ２００５／０００６３７（米国特許第  ７，６４３，２１４）に記載されているような様々な代替案によって実行することができる。２軸の導光体は、上記の構成のいずれかを持つことができる。更に好ましくは、平均化およびミキシングは、Ｌｕｍｕｓ  Ｌｔｄ．が２０１８年１月８日に出願した国際出願Ｎｏ．  ＰＣＴ／ＩＬ２０１８／０５００２５に記載されているような重なり合う切子面を含めることにより実行される。
【０１２０】
図２７Ａおよび図２７Ｂを参照すると、２つの部位の導光体１６を与える１Ｄ導光体のそれぞれの側面図および正面図が示される。図２７Ａは、その後空隙を拡張する１Ｄ導光体４１０の側面図を示し、導光体３２０が後に続く。
【０１２１】
ニアアイディスプレイ導光体は、プロジェクター２から観察者の目１０に「仮想の」像の光を伝達する一方で、投影された空隙を増加させる。導光体１６による伝達は、埋め込まれた反射器（切子面）あるいは格子による回析による反射を含む。
【０１２２】
導光体１６は「外界」に対して透明で、好ましくは観察者の目１０に向かって外界の反射を導入するべきでない。
【０１２３】
多くの導光体の構成が、目１０に向かう高角度からいくつかの反射を導入する。切子面（あるいは格子の効率的な回析）のコーティングは、そのような高角度で反射の効率を減少させるために最適化することができる。しかしながら、高強度の光源、例えば、（暗い環境の）ランプあるいは太陽は、観察者に向かって実質的に光の強度を反射することができる。
【０１２４】
図２８を参照すると、虚像を重ね合わす望まれない像の角度のある図が示される。本件の図は図１３に基づくが、本件の図では、視野における１点だけが表わされる。システムの外側からの光源は、導光体に結合され、虚像を重ね合わす望まれない像を生成する。外部ソースは、８１ｓ（例えば観察者の上の高角度での太陽）としてマークされる。
【０１２５】
外部ソース８１ｓは、角度４Ｒｓ（図１３で重ねられた４Ｒ）に切子面３６の第２のセットによって反射されるべき導光体１６へ伝達される。この点から、望まれない像は像経路４Ｒｓ、６Ｌｓ、６Ｒｓそして観察者８ｓまでを追随する。
【０１２６】
４Ｒｓがガイドされ、したがって、像は観察者に伝達されることは明らかである。しかしながら、８１ｓの異なる角度では、外部ソースは４Ｒｓに結合される。それは、内部反射によってガイドされない、したがって望まれない像は生成されない。像がＴＩＲ（円の１つの内）の外側に存在するとき、クラッタ光はこの像４Ｒｓを介して導光体に結合されることができる。この（クラッタ）光は導光体（観察者側）の反対側から侵入する。クラッタ光８１ｓあるいは４Ｒｓがガイドされるようになることを防ぐために、図２９Ａで示されるように、シェードが導光体の上に置かれ得る。
【０１２７】
図２９Ａを参照すると、高角度光が導光体に達するのを防ぐシェードが示される。シェード１００９が導入されて好ましくは（導光体１６の）正面及び背面の高角度クラッタ光２９００をブロックする。より低い角度の入射光１００７Ａは、射出瞳（ｅｙｅ−ｂｏｘ）を照らさない１００７Ｂ。したがって、目に見えない。
【０１２８】
図２９Ｂを参照すると、高角度光が導光体に達するのを防ぐ、角度のある敏感なコーティングが示される。角度のある敏感なコーティング１０１１が導入される。このコーティング１０１１は（頂点に対して）高い角度の入射光線２９００を反射する一方で、示されるような低い角度光１００７Ａを伝達する。
【０１２９】
図３０を参照すると、部位の代替的な組み合わせが示される。本件の図で、２つの部位（第１の部位１４および第２の部位１２）は、単一の１Ｄ導光体１０２０に組み合わされる。この導光体１０２０は隣接する２つの部位を有し、図２に示される、重なる導光体１６の隣接するエッジ部と比較して、異なるエッジを使用している。導光体１０２０の部位は連続するように組み合わせられ、ガイドされる伝播光（図１３の２つの像４Ｌおよび４Ｒ）が、第１の部位１４の切子面３２の第１のセットによって最初に反射され（図１３の切子面３２の第１のセットによる４Ｒ）、その後、第２の部位１２の切子面３６の第２のセットによって反射される（図１３の切子面３６の第２のセットによる６Ｒ）。この実施例によれば、切子面が導光体の面に垂直ではないことに注意されたい。したがって、１つの像だけが目１０に向かって臨界経路で反射される。例えば、４Ｒだけが６Ｌに反射され、４Ｌと同時に４Ｒは６Ｒに反射されず、  は６Ｌに反射される。この単一の臨界経路は、多経路構成に存在する位置合せ精度の要求を緩める。
【０１３０】
図３２Ａを参照すると、典型的な照明システムの側面図の概略のスケッチが示される。導光体１６は画像プロジェクターの透明な像を作らない照明を提供する照明システムに使用することができる。光源３２００は、導光体１６を照らす入力照明を提供する。光３２０２が導光体１６中を伝播すると、光３２０２は導光体１６の切子面によって、画像変調器３２１５上に反射される３２０４。例えば、画像変調器３２１５はＬＣＯＳであり得る。反射像光３２０６は、導光経路を通り抜けて、ついで光学系３２２０によって典型的には像が作られる。好適には、切子面は敏感であり、したがって導光体１６は偏光ビームスプリッターとして役割を果たす。本件の記載および図における明瞭さのために、偏光子および偏光回転子は省略される。
【０１３１】
図３２Ｂを参照すると、典型的な照明システムの正面図の概略のスケッチが示され、導光体１６の正面図を示している。光源３２００は、導光体１６に光３２０２を直接（あるいは光導波路を通して）投影し、切子面の交差（重ね合わせ）配向が導光体１６内のソース空隙の横方向の拡張を引き起こし、導光体１６の外へ光を投影する。
【０１３２】
上記の例、使用される数、および典型的な計算は、この実施形態の記載を助けるためであることに注意されたい。不注意な誤植、数学的な過誤および／または単純化された計算の使用は、発明の有用性および基礎的な利点を損なわない。
【０１３３】
添付された特許請求の範囲が多数項の従属なしに案出されただけで、これは単にそのような多数項の従属を許可しない管轄権での方式的要件を適用させるために行われた。特許請求の範囲を複合的に従属するようにすることにより意味される特徴のあらゆる組合せが明示的に意図され、発明の一部と考えられるべきであることに注意されたい。
【０１３４】
上述の記載が単に一例として提供することが意図され、他の多くの実施形態が、添付の特許請求の範囲で定義されるような本発明の範囲内で可能であることは認識されるだろう。
【図１】
2021510838.tif 000003
【図２】
2021510838.tif 000004
【図３】
2021510838.tif 000005
【図４】
2021510838.tif 000006
【図５】
2021510838.tif 000007
【図６】
2021510838.tif 000008
【図７】
2021510838.tif 000009
【図８】
2021510838.tif 000010
【図９】
2021510838.tif 000011
【図１０】
2021510838.tif 000012
【図１１】
2021510838.tif 000013
【図１２Ａ】
2021510838.tif 000014
【図１２Ｂ】
2021510838.tif 000015
【図１２Ｃ】
2021510838.tif 000016
【図１２Ｄ】
2021510838.tif 000017
【図１２Ｅ】
2021510838.tif 000018
【図１３】
2021510838.tif 000019
【図１４Ａ】
2021510838.tif 000020
【図１４Ｂ】
2021510838.tif 000021
【図１５】
2021510838.tif 000022
【図１６Ａ】
2021510838.tif 000023
【図１６Ｂ】
2021510838.tif 000024
【図１７】
2021510838.tif 000025
【図１８Ａ】
2021510838.tif 000026
【図１８Ｂ】
2021510838.tif 000027
【図１８Ｃ】
2021510838.tif 000028
【図１９Ａ】
2021510838.tif 000029
【図１９Ｂ】
2021510838.tif 000030
【図１９Ｃ】
2021510838.tif 000031
【図２０】
2021510838.tif 000032
【図２１】
2021510838.tif 000033
【図２２Ａ】
2021510838.tif 000034
【図２２Ｂ】
2021510838.tif 000035
【図２２Ｃ】
2021510838.tif 000036
【図２３】
2021510838.tif 000037
【図２４Ａ】
2021510838.tif 000038
【図２４Ｂ】
2021510838.tif 000039
【図２４Ｃ】
2021510838.tif 000040
【図２４Ｄ】
2021510838.tif 000041
【図２５】
2021510838.tif 000042
【図２６Ａ】
2021510838.tif 000043
【図２６Ｂ】
2021510838.tif 000044
【図２７Ａ】
2021510838.tif 000045
【図２７Ｂ】
2021510838.tif 000046
【図２８】
2021510838.tif 000047
【図２９Ａ】
2021510838.tif 000048
【図２９Ｂ】
2021510838.tif 000049
【図３０】
2021510838.tif 000050
【図３１】
2021510838.tif 000051
【図３２Ａ】
2021510838.tif 000052
【図３２Ｂ】
2021510838.tif 000053
【国際調査報告】
2021510838.tif 000054
2021510838.tif 000055
2021510838.tif 000056